(57)【要約】【課題】  広い面で照明の光を集めることができ、視認性が高まり、しかもランニングコストがゼロで維持できる表示装置の設置構造を提供する。【解決手段】  成形品本体８の一部に表示部となる切欠き１０ａ，１０ｂ，１０ｃ，１０ｄ，１０ｅ，１１ａ，１１ｂ，１１ｃを設け、この切欠きに、光線を照射することによって蛍光を発する集光材１３の表示凸部１５ａ〜１５ｅ，１６ａ〜１６ｃを嵌め込むとともに、集光材１３で成形品本体８の天板１３ｂを一体形成させ、上方に照明を配設させて、この照明の光を集光材１３の天板１３ｂで集めて、表示部切欠き１０ａ〜１０ｅ，１１ａ〜１１ｃを光らせるように構成する。【選択図】  図２
2006133694.tif 000002
【特許請求の範囲】
【請求項１】
成形品本体の一部に表示部となる切欠きを設け、該切欠きに、光線を照射することによって蛍光を発する集光材の一部を嵌め込み、該集光材で前記成形品本体の天板を一体形成させるとともに、上方に照明を配設し、該照明の光を前記天板の集光材で集めて前記表示部を光らせるように構成したことを特徴とする表示装置の設置構造。
【請求項２】
前記集光材に蓄光材を併設して構成したことを特徴とする請求項１に記載の表示装置の設置構造。
【発明の詳細な説明】
【技術分野】
【０００１】
本発明は、照明の光を集光材で集めて表示部を光らせることのできる表示装置の設置構造に関するものである。
【背景技術】
【０００２】
従来、特許文献１に開示されているように、ボタンスイッチ等の操作子として利用する表示部材に切欠き部を設け、蛍光部材を嵌め込んだ文字・記号表記装置が存在する。
【特許文献１】特開平１１−２４２４５３号公報
【発明の開示】
【発明が解決しようとする課題】
【０００３】
従来のような表記装置においては、表示部を光らせるために電球やＬＥＤ等の光源が必要となり、光源に電力を供給する配線等が必要となり、また電球等の交換の手間がかかるという問題点があった。
【課題を解決するための手段】
【０００４】
本発明は上記従来の問題点に鑑み案出したものであって、電球等の交換の必要もなく、ランニングコストがかからず、良好な視認性が得られる表示装置の設置構造を提供するものであり、その請求項１は、成形品本体の一部に表示部となる切欠きを設け、該切欠きに、光線を照射することによって蛍光を発する集光材の一部を嵌め込み、該集光材で前記成形品本体の天板を一体形成させるとともに、上方に照明を配設し、該照明の光を前記天板の集光材で集めて前記表示部を光らせるように構成したことである。
【０００５】
また請求項２は、前記集光材に、蓄光材を併設して構成したことである。
【発明の効果】
【０００６】
本発明の表示装置の設置構造は、成形品本体の一部に表示部となる切欠きを設け、切欠きに、光線を照射することによって蛍光を発する集光材の一部を嵌め込み、集光材で成形品本体の天板を一体形成させるとともに、上方に照明を配設し、照明の光を天板の集光材で集めて表示部を光らせるように構成したことにより、上方に配置されている照明の光を集光材で集めることができ、しかも集光材が天板を形成しているため、広い面で光を集めることができて、表示部を明るく光らせることができ、視認性が高まる。しかも、別途電球等を設ける必要がないため交換の必要もなく、ランニングコストをゼロとすることができる。
【０００７】
また、集光材に蓄光材を併設して構成したことにより、例えば、浴室内を演出するために照明が切られたような場合でも、蓄光材を介して表示装置の表示部を明るく光らせることができ、視認性が向上するものとなる。
【実施例】
【０００８】
以下、本発明の実施例を図面に基づいて説明する。
図１は、浴室の要部斜視構成図であり、浴室１内に設けられている浴槽２の洗い場３側の壁面４には、浴槽２から横方向に延びてカウンター５が設置されており、このカウンター５上には洗面器を置くことができ、このカウンター５の上方に、温調ハンドル６と切替ハンドル７を設けた吐水口１２が設置されて、水栓本体１９を覆う水栓カバー８の正面の、温調ハンドル６及び切替ハンドル７の上部には、複数の表示部１０，１１が配置形成され、本例では、水栓カバー８に集光材１３が嵌め合わされている。
【０００９】
図２は、水栓カバーと集光材の分解斜視図を示すものであり、また図３には、集光材の拡大斜視図を示す。
水栓カバー８（成形品本体）は、垂直状の正面部８ａと、その下端から水平に延びる底面部８ｂで構成されており、正面部８ａには、前記温調ハンドル６を通すハンドル用切欠き孔９ａ、及び、切替ハンドル７を通すハンドル用切欠き孔９ｂが貫通形成されている。
また、正面部８ａのハンドル用切欠き孔９ａの上方には、表示部切欠き１０ａ，１０ｂ，１０ｃが貫通形成されており、表示部切欠き１０ａの上方には、Ｃ文字状の表示部切欠き１０ｄが貫通形成され、また表示部切欠き１０ｃの上方には、Ｈ文字状の表示部切欠き１０ｅが貫通形成されている。
また、ハンドル用切欠き孔９ｂの上方には、ハンドシャワー１２ａの形状に切欠いた表示部切欠き１１ａが貫通形成されており、その右側には、縦棒状の表示部切欠き１１ｂが貫通形成され、その右側には、洗面器に吐水する形状に切欠いた表示部切欠き１１ｃが貫通形成されている。
【００１０】
一方、集光材１３は、光線を照射することによって蛍光を発する材料（蛍光を発する塗料等）を内部に分散させた集光材料（例えば、透明な合成樹脂）で構成されて、垂直な起立面部１３ａの裏側から横方向に延びる天板部１３ｂで構成されている。
この集光材１３の起立面部１３ａの表面側には、図３で拡大して示すように、前記ハンドル用切欠き孔９ａ内に嵌まり込むリング状のリング凸部１４ａが一体状に突出されており、また前記ハンドル用切欠き孔９ｂ内に嵌まり込むリング凸部１４ｂが一体状に突出形成されている。
【００１１】
また、リング凸部１４ａの上方には、前記表示部切欠き１０ａ，１０ｂ，１０ｃにそれぞれ嵌まり込む表示凸部１５ａ，１５ｂ，１５ｃが一体状に突出形成されており、表示凸部１５ａの上方には、前記表示部切欠き１０ｄに嵌まり込むＣ文字状の表示凸部１５ｄが一体形成されている。
また、表示凸部１５ｃの上方には、前記表示部切欠き１０ｅ内に嵌まり込むＨ文字状の表示凸部１５ｅが一体形成されている。
更に、リング凸部１４ｂの上方には、前記表示部切欠き１１ａ内に嵌まり込む形状の表示凸部１６ａが一体形成されており、その右側には前記表示部切欠き１１ｂ内に嵌まり込む表示凸部１６ｂが一体形成され、更にその右側には、前記表示部切欠き１１ｃ内に嵌まり込む形状の表示凸部１６ｃが一体形成されている。
【００１２】
このような集光材１３のリング凸部１４ａ，１４ｂ、及び、表示凸部１５ａ〜１５ｅと表示凸部１６ａ〜１６ｃを、それぞれ水栓カバー８の正面部８ａの裏側から嵌め込んで、集光材１３を水栓カバー８に一体化した状態の縦断面図を図４に示す。
このように、集光材１３を水栓カバー８と一体化させた状態では、水栓カバー８の上面が集光材１３の天板部１３ｂで形成されることとなる。
【００１３】
なお、図４に示すように、天板部１３ｂの上方には、鏡１７及び浴室用の照明１８が設置されており、この浴室用の照明１８からの光が天板部１３ｂに照射されることで、広い面積で照明１８の光を受け止めて、良好に集光材１３で蛍光を発することができ、集光材１３のリング凸部１４ａ，１４ｂ及び表示凸部１５ａ，１５ｂ，１５ｃ，１５ｄ，１５ｅ，１６ａ，１６ｂ，１６ｃから蛍光を発して、水栓カバー８を正面から見た場合には、温調ハンドル６及び切替ハンドル７の外周及びその上方の表示部１０，１１が良好に光り、温調ハンドル６及び切替ハンドル７の位置が視認され易くなり、また、その上方の表示部１０，１１も良好に視認されるため、浴室内での温調ハンドル６及び切替ハンドル７の操作性が向上するものとなる。
【００１４】
しかも、本例では、既に設置されている浴室用の照明１８を利用して、この照明１８からの光で蛍光を発して光らせるものであるため、別途電球等の光源を必要とせず、電球等の交換も不要であり、ランニングコストをゼロにすることができ、しかも電気配線を別途行う必要がないものとなる。
なお、図５では、温調ハンドル６の部分のリング凸部１４ａ及び表示凸部１５ｂが光っている状態を拡大斜視図で示している。
【００１５】
次に、図６の縦断面構成図で示すものは変更例であり、図６では、集光材１３の上面に更に蓄光材２０を配設したものである。この蓄光材２０は、集光材１３の天板部１３ｂ上に配置される天板部２０ｂと、起立面部１３ａの裏側に配置される起立面部２０ａで構成されており、天板部２０ｂに照明１８からの光が照射されることで、この光エネルギーを吸収して、蓄光材２０が暗闇でも光を放出することができるものである。
なお、この蓄光材２０は、例えば酸化アルミニウムを母体とし、他の酸化物と希土類元素等が結合されたセラミック系の物質で構成されたものである。
【００１６】
このように、集光材１３とともに蓄光材２０を併設した構成においては、特に浴室１内を演出するために照明１８を切るような場合があるが、そのような場合に蓄光材２０が光り、これにより集光材１３の表示凸部１５ａ〜１５ｅ及び１６ａ〜１６ｃ等が光ることで、暗闇でも良好に表示部１０，１１を視認することができるものとなる。
なお、照明１８は、壁面４に設けても良いし、天井面に設けても良い。
【図面の簡単な説明】
【００１７】
【図１】浴室内の要部斜視構成図である。
【図２】水栓カバー（成形品本体）と集光材と切替ハンドルの分解斜視図である。
【図３】集光材の拡大構成図である。
【図４】水栓カバーと集光材を一体化させて設置した状態の縦断面構成図である。
【図５】温調ハンドル周辺の拡大斜視構成図である。
【図６】変更例を示す縦断面構成図である。
【符号の説明】
【００１８】
１  浴室
２  浴槽
３  洗い場
４  壁面
５  カウンター
６  温調ハンドル
７  切替ハンドル
８  水栓カバー（成形品本体）
８ａ  正面部
８ｂ  底面部
９ａ，９ｂ  ハンドル用切欠き孔
１０  表示部
１０ａ，１０ｂ，１０ｃ，１０ｄ，１０ｅ  表示部切欠き
１１  表示部
１１ａ，１１ｂ，１１ｃ  表示部切欠き
１２  吐水口
１２ａ  ハンドシャワー
１３  集光材
１３ａ  起立面部
１３ｂ  天板部
１４ａ，１４ｂ  リング凸部
１５ａ，１５ｂ，１５ｃ，１５ｄ，１５ｅ  表示凸部
１６ａ，１６ｂ，１６ｃ  表示凸部
１７  鏡
１８  照明
１９  水栓本体
２０  蓄光材
２０ａ  起立面部
２０ｂ  天板部
【図１】
2006133694.tif 000003
【図２】
2006133694.tif 000004
【図３】
2006133694.tif 000005
【図４】
2006133694.tif 000006
【図５】
2006133694.tif 000007
【図６】
2006133694.tif 000008